(57)【要約】    【課題】  支持部において支持対象物を支持することによる動的な荷重を含む主として下向きの荷重によって、保持対象物に形成された嵌合穴に嵌合保持された嵌合棒状部と支持部との接合部付近が破断し或いは損傷することが防がれるプラスチック材料製の支持材の提供    【解決手段】  支持材Ｓは、基端側に棚の側板の嵌合穴Ｈに嵌合保持させる円柱形状の嵌合棒状部Ｆ、先端側に棚板Ｂを支持する支持部Ｐを有し、樹脂により一体成形される。支持部Ｐは、嵌合棒状部Ｆと同軸状であって外径が拡大した円柱形状をなす。支持部Ｐの基部には、全周にわたり径方向に張り出した円環状の外方張出部Ｌを有する。支持部Ｐは、嵌合棒状部Ｆの軸方向先端側に延長した位置に、先端側に開口し、嵌合棒状部Ｆと同軸状をなす円柱形状の軸方向穴Ａを有し、嵌合棒状部Ｆの先端側部分の外周部を囲繞して基端側に開口する、嵌合棒状部Ｆと同軸状をなす周方向断面が一定の円環状溝部Ｒを有する。【選択図】      図１
2009291493.tif 000002
【特許請求の範囲】
【請求項１】
基端側に、保持対象物に形成された嵌合穴に嵌合保持させるための嵌合棒状部を有し、先端側に、支持対象物を主として上向きに支持するための支持部を備えてなるプラスチック材料製の支持材であって、
前記支持部は、前記嵌合棒状部の先端側に設けられ、少なくとも嵌合棒状部よりも径方向外方に拡大した形状をなすものであり、
前記支持部は、嵌合棒状部の軸方向先端側に延長した位置に、先端側に開口する軸方向穴を有すると共に、嵌合棒状部の先端側部分の外周部を囲繞して基端側に開口する環状溝部を有することを特徴とする支持材。
【請求項２】
上記支持部は、基端側に外方張出部を有し、
上記嵌合棒状部を嵌合穴に嵌合保持させて前記支持部により支持対象物を支持した状態において、嵌合穴を有する保持対象物と、支持部により支持した支持対象物の間に前記外方張出部が挟まれることにより、嵌合穴からの嵌合棒状部の脱落が防がれ得る請求項１記載の支持材。
【請求項３】
嵌合棒状部が円柱形状をなし、
支持部が、嵌合棒状部と同軸状であって外径が拡大した円柱形状をなし、
軸方向穴は、支持部の先端側部分に位置し、嵌合棒状部と同軸状の円柱形状をなし、先端側に開口するものであり、
環状溝部は、支持部の基端側部分に位置し、嵌合棒状部の先端側部分の外周部を嵌合棒状部と同軸状に囲繞して基端側に開口し、
前記環状溝部の外周側に位置する支持部の基端部が環状をなすと共に嵌合棒状部の軸線に対し垂直状をなす請求項１記載の支持材。
【請求項４】
上記支持部は、基端側に円環状の外方張出部を有し、
上記嵌合棒状部を嵌合穴に嵌合保持させて前記支持部により支持対象物を支持した状態において、嵌合穴を有する保持対象物と、支持部により支持した支持対象物の間に前記外方張出部が挟まれることにより、嵌合穴からの嵌合棒状部の脱落が防がれ得る請求項３記載の支持材。
【発明の詳細な説明】
【技術分野】
【０００１】
本発明は、棚の垂直側板等の保持対象物に形成された嵌合穴にダボ部を嵌合保持させて、棚板等の支持対象物を主として上向きに支持するための支持材に関する。
【背景技術】
【０００２】
ダボ付棚受具としては、図４に示すような、大径円柱状の支持部ａ１の基端面から、小径円柱状のダボ部ａ２が同軸状に突出してなる棚受具ａが一般的に用いられている。この棚受具ａは、棚の垂直側板ｂに形成された嵌合穴ｃにダボ部ａ２を嵌合させて固定した状態で、支持部ａ１により棚板ｄを上向きに支持するものである。
【０００３】
この種の棚受具は従来金属製であったが、製造コストを低減させる上で合成樹脂による一体成形品とすることが考えられる。
【０００４】
しかしながら、棚板ｄには、書籍や食器等の物品を載せることによる動的な荷重が繰り返し載荷されることがしばしばあり、その場合、合成樹脂製のダボ付棚受具では、ダボ部ａ２と支持部ａ１の基端面との境界部付近から破損が進行することが生じ易いという問題があった。
【０００５】
合成樹脂にて一体に形成されたダボ付棚受具として、特開平８−１２６５３０号公報（特許文献１）には、略Ｌ型の受具本体１の一片２に固定用孔３を形成し、同他片４の裏面にダボ片５を突設し、該ダボ片５の中心を貫通する透孔６を同他片４に貫通形成してなるものが開示されている。しかしながら、前記の問題について解決が図られているものではない。
【特許文献１】特開平８−１２６５３０号公報
【発明の開示】
【発明が解決しようとする課題】
【０００６】
本発明は、従来技術に存した上記のような課題に鑑み行われたものであって、その目的とするところは、支持部において支持対象物を支持することによる、動的な荷重を含む主として下向きの荷重によって、保持対象物に形成された嵌合穴に嵌合保持された嵌合棒状部と支持部との接合部付近が破断し或いは損傷することが防がれるプラスチック材料製の支持材を提供することにある。
【課題を解決するための手段】
【０００７】
(1) 上記目的を達成する本発明の支持材は、
基端側に、保持対象物に形成された嵌合穴に嵌合保持させるための嵌合棒状部を有し、先端側に、支持対象物を主として上向きに支持するための支持部を備えてなるプラスチック材料製の支持材であって、
前記支持部は、前記嵌合棒状部の先端側に設けられ、少なくとも嵌合棒状部よりも径方向外方に拡大した形状をなすものであり、
前記支持部は、嵌合棒状部の軸方向先端側に延長した位置に、先端側に開口する軸方向穴を有すると共に、嵌合棒状部の先端側部分の外周部を囲繞して基端側に開口する環状溝部を有することを特徴とする。
【０００８】
この支持材は、棚の垂直側板等の保持対象物に形成された嵌合穴に、嵌合棒状部を嵌合保持させることにより使用する。支持部の基端部は保持対象物に当接した状態で使用することが望ましい。
【０００９】
基端側の嵌合棒状部が嵌合穴に嵌合保持された状態において、先端側の支持部が支持対象物を主として上向きに支持する。支持部は、嵌合棒状部の先端側に設けられ、少なくとも嵌合棒状部よりも径方向外方に拡大した形状をなす。
【００１０】
支持部は、プラスチック材料製であるため荷重に対し比較的に弾性的に変形し易い。而も、支持部は、嵌合棒状部の軸方向先端側に延長した位置に、先端側に開口する軸方向穴を有すると共に、嵌合棒状部の先端側部分の外周部を囲繞して基端側に開口する環状溝部を有するので、支持対象物を主として上向きに支持した場合に、支持部の先端側及び基端側が何れもほぼ上下方向に圧縮変形する。更に、嵌合棒状部は、嵌合穴に嵌合保持された基端側から、環状溝部により囲繞された先端側部分にわたり、下向きに撓むこととなる。
【００１１】
支持部において支持対象物を支持することによる、動的な荷重を含む主として下向きの荷重が、このような変形により緩和又は分散されるので、支持部に載荷された荷重により嵌合棒状部と支持部との接合部付近が破断し或いは損傷することが防がれる。
【００１２】
上記支持材は、
上記支持部は、基端側に外方張出部を有し、
上記嵌合棒状部を嵌合穴に嵌合保持させて前記支持部により支持対象物を支持した状態において、嵌合穴を有する保持対象物と、支持部により支持した支持対象物の間に前記外方張出部が挟まれることにより、嵌合穴からの嵌合棒状部の脱落が防がれ得るものとすることができる。
【００１３】
この場合、支持部が、基端側に外方張出部を有するので、嵌合棒状部を嵌合穴に嵌合保持させて支持部により支持対象物を支持した状態において、嵌合穴を有する保持対象物と、支持部により支持した支持対象物の間に前記外方張出部が挟まれることにより、嵌合穴からの嵌合棒状部の脱落が防がれ得る。
【００１４】
(2) 本発明の支持材は、
嵌合棒状部が円柱形状をなし、
支持部が、嵌合棒状部と同軸状であって外径が拡大した円柱形状をなし、
軸方向穴は、支持部の先端側部分に位置し、嵌合棒状部と同軸状の円柱形状をなし、先端側に開口するものであり、
環状溝部は、支持部の基端側部分に位置し、嵌合棒状部の先端側部分の外周部を嵌合棒状部と同軸状に囲繞して基端側に開口し、
前記環状溝部の外周側に位置する支持部の基端部が環状をなすと共に嵌合棒状部の軸線に対し垂直状をなすものであることが望ましい。
【００１５】
この支持材は、棚の垂直側板等の保持対象物に形成された嵌合穴に、円柱形状嵌合棒状部を嵌合保持させることにより使用する。嵌合棒状部の軸線に対し垂直状をなす支持部の基端部は、保持対象物に当接した状態で使用することが望ましい。
【００１６】
基端側の嵌合棒状部が嵌合穴に嵌合保持された状態において、先端側の支持部が支持対象物を主として上向きに支持する。支持部は、嵌合棒状部の先端側に設けられ、嵌合棒状部と同軸状であって外径が拡大した円柱形状をなす。
【００１７】
支持部は、プラスチック材料製であるため荷重に対し比較的に弾性的に変形し易い。而も、支持部は、嵌合棒状部を先端側に延長した位置に、嵌合棒状部と同軸状の円柱形状をなし、先端側に開口する軸方向穴を有すると共に、支持部の基端側部分に位置し、嵌合棒状部の先端側部分の外周部を嵌合棒状部と同軸状に囲繞して基端側に開口する環状溝部を有する。
【００１８】
支持対象物を主として上向きに支持した場合に、支持部の先端側及び基端側が何れもほぼ上下方向に圧縮変形する。更に、嵌合棒状部は、嵌合穴に嵌合保持された基端側から、環状溝部により囲繞された先端側部分にわたり、下向きに撓むこととなる。
【００１９】
支持部において支持対象物を支持することによる、動的な荷重を含む主として下向きの荷重が、このような変形により緩和又は分散されるので、支持部に載荷された荷重により嵌合棒状部と支持部との接合部付近が破断し或いは損傷することが防がれる。
【００２０】
而も、全体が嵌合棒状部の軸線に対し対称状をなすので、嵌合穴に対する嵌合棒状部の保持状態の角度にかかわらず同様に作用する。
【００２１】
上記支持材は、
上記支持部は、基端側に円環状の外方張出部を有し、
上記嵌合棒状部を嵌合穴に嵌合保持させて前記支持部により支持対象物を支持した状態において、嵌合穴を有する保持対象物と、支持部により支持した支持対象物の間に前記外方張出部が挟まれることにより、嵌合穴からの嵌合棒状部の脱落が防がれ得るものとすることができる。
【００２２】
この場合、支持部が、基端側に円環状の外方張出部を有するので、嵌合棒状部を嵌合穴に嵌合保持させて支持部により支持対象物を支持した状態において、嵌合穴を有する保持対象物と、支持部により支持した支持対象物の間に前記外方張出部が挟まれることにより、嵌合穴からの嵌合棒状部の脱落が防がれ得る。
【発明の効果】
【００２３】
本発明の支持材は、プラスチック材料製であり、支持対象物を主として上向きに支持した場合に、支持部の先端側及び基端側が何れもほぼ上下方向に圧縮変形し、嵌合棒状部は、嵌合穴に嵌合保持された基端側から、環状溝部により囲繞された先端側部分にわたり、下向きに撓むこととなる。支持部において支持対象物を支持することによる、動的な荷重を含む主として下向きの荷重が、このような変形により緩和又は分散されるので、支持部に載荷された荷重により嵌合棒状部と支持部との接合部付近が破断し或いは損傷することが防がれる。
【発明を実施するための最良の形態】
【００２４】
本発明の実施の形態を、図面を参照しつつ説明する。
【００２５】
(1) 図１乃至図３は、何れも本発明の一例としての棚板Ｂ用の支持材Ｓに関するものであって、図１は正面半断面図、図２は右側面図、図３は左側面図である。
【００２６】
支持材Ｓは、その基端側に嵌合棒状部Ｆ、先端側に支持部Ｐを有し、高密度ポリエチレン樹脂により一体成形されてなるものである。
【００２７】
嵌合棒状部Ｆは、棚の垂直側板Ｖ（保持対象物の一例）に、その内側面に対し垂直状に形成された円柱形状の嵌合穴Ｈに嵌合保持させるためのものであって、中実の円柱形状をなす。
【００２８】
支持部Ｐは、棚板Ｂ（支持対象物の一例）を主として上向きに支持するためのものであり、嵌合棒状部Ｆと同軸状であって外径が拡大した円柱形状をなす。支持部Ｐの基端部Ｐ１は、嵌合棒状部Ｆの軸線に対し垂直状をなす。また支持部Ｐの基部には、全周にわたり径方向に張り出した円環状の外方張出部Ｌを有する。なお、外方張出部Ｌの形状は、円環状に限らず、例えば多角形環状とすることもできる。
【００２９】
支持部Ｐは、嵌合棒状部Ｆの軸方向先端側に延長した位置に、先端側に開口し、嵌合棒状部Ｆと同軸状をなす円柱形状の軸方向穴Ａを有する。更に支持部Ｐは、嵌合棒状部Ｆの先端側部分の外周部を囲繞して基端側に開口する、嵌合棒状部Ｆと同軸状をなす周方向断面が一定の円環状溝部Ｒを有する。円環状溝部Ｒと軸方向穴Ａの軸方向位置は所定の軸方向距離を隔てている。
【００３０】
(2) 横長長方形状の棚板Ｂ（支持対象物の一例）を支持するための相対する垂直側板Ｖのそれぞれ前後１箇所、合計４箇所の同一高さ位置の嵌合穴Ｈに対し、それぞれ支持材Ｓの基端側の嵌合棒状部Ｆを嵌合保持する。支持材Ｓは、図１に二点鎖線で示した棚の垂直側板Ｖに形成された円柱形状の嵌合穴Ｈに円柱形状の嵌合棒状部Ｆを嵌合保持させることにより使用する。嵌合棒状部Ｆの軸線に対し垂直状をなす支持部Ｐの基端部Ｐ１は、保持対象物である垂直側板Ｖに当接した状態で使用する。
【００３１】
これにより、棚板Ｂの４隅部の下面側に設けられて下方に開口し外側方に開放した嵌合凹部Ｅに支持部Ｐの上半部を嵌合させて棚板Ｂを水平状に支持することができる。
【００３２】
支持部Ｐが、基端側に円環状の外方張出部Ｌを有するので、嵌合棒状部Ｆを嵌合穴Ｈに嵌合保持して支持部Ｐにより棚板Ｂを支持した状態において、嵌合穴Ｈを有する垂直側板Ｖと、支持部Ｐにより支持した棚板Ｂとの間に円環状の外方張出部Ｌが挟まれることにより、嵌合穴Ｈからの嵌合棒状部Ｆの脱落が防がれ得る。
【００３３】
支持部Ｐは、高密度ポリエチレン樹脂製であるため荷重に対し比較的に弾性的に変形し易い。而も、支持部Ｐは、嵌合棒状部Ｆを軸方向先端側に延長した位置に、嵌合棒状部Ｆと同軸状の円柱形状をなし、先端側に開口する軸方向穴Ａを有すると共に、支持部Ｐの基端側部分に位置し、嵌合棒状部Ｆの先端側部分の外周部を嵌合棒状部Ｆと同軸状に囲繞して基端側に開口する円環状溝部Ｒを有する。
【００３４】
そのため、棚板Ｂを主として上向きに支持した場合に、支持部Ｐの先端側及び基端側が何れもほぼ上下方向に圧縮変形する。更に、嵌合棒状部Ｆは、嵌合穴Ｈに嵌合保持された基端側から、環状溝部により囲繞された先端側部分にわたり、下向きに撓むこととなる。よって、支持部Ｐにおいて棚板Ｂを支持することによる、動的な荷重を含む主として下向きの荷重が、このような変形により緩和又は分散されるので、支持部Ｐに載荷された荷重により嵌合棒状部Ｆと支持部Ｐとの接合部付近が破断し或いは損傷することが防がれる。また、円環状溝部Ｒの溝底（図１における円環状溝部Ｒの右端）の軸方向位置と軸方向穴Ａの穴底（図１における軸方向穴Ａの左端）の軸方向位置の間には所定間隔を有するので、支持部Ｐに過度の変形が生じることが防がれる。而も、支持材Ｓ全体が嵌合棒状部Ｆの軸線に対し対称状をなすので、嵌合穴Ｈに対する嵌合棒状部Ｆの保持状態の角度にかかわらず同様に作用する。
【００３５】
(3) 本発明の支持材の構成は、上記の例に限らない。
【００３６】
支持材Ｓを構成するプラスチック材料としては、高密度ポリエチレン以外に、例えば、ポリプロピレン樹脂、ポリアミド樹脂等を適宜選択して用いることができる。
【００３７】
嵌合穴と嵌合棒状部の嵌合は、ねじ嵌合とすることもできる。
【００３８】
嵌合棒状部は、円筒状とすることもでき、例えば、多角形柱状又は多角形筒状とすることもできる。
【００３９】
支持部は、前記嵌合棒状部の先端側に設けられ、少なくとも嵌合棒状部よりも径方向外方に拡大した形状をなす。支持部の形状は、嵌合棒状部と同軸又は非同軸の円柱状、多角形柱状、又はその他の形状とすることができる。
【００４０】
支持部における軸方向穴は、嵌合棒状部の軸方向先端側に延長した位置において、嵌合棒状部と同軸状に又は例えば平行状に設けることができる。軸方向穴内に例えば凹凸等があってもよい。また、嵌合棒状部が筒状をなし、軸方向穴と連通するものとすることもできる。
【００４１】
支持部における環状溝部は、円環状溝部に限らず、例えば多角形環状溝部であってもよい。環状溝部内に例えば凹等があってもよい。
【００４２】
支持部の基端部は、嵌合棒状部の軸線に対し垂直状をなすものであることが望ましいが、これに限るものではない。
【００４３】
なお、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【図面の簡単な説明】
【００４４】
【図１】正面半断面図である。
【図２】右側面図である。
【図３】左側面図である。
【図４】従来のダボ付棚受具の正面図である。
【符号の説明】
【００４５】
Ａ      軸方向穴
Ｂ      棚板
Ｅ      嵌合凹部
Ｈ      嵌合穴
Ｌ      外方張出部
Ｐ      支持部
Ｐ１    基端部
Ｒ      円環状溝部
Ｓ      支持材
Ｖ      垂直側板
【図１】
2009291493.tif 000003
【図２】
2009291493.tif 000004
【図３】
2009291493.tif 000005
【図４】
2009291493.tif 000006